(57)【特許請求の範囲】
【請求項１】
プラスチック製のハンガーのアタッチメント２と左右のハンガーアーム３とを回転可能に連結すると共に左右のハンガーアームの横バー３ｂを略中央で回転可能に連結し、衣服が掛かって開いているハンガーの片側のハンガーアーム３と握り部５を洗濯物と一緒に握りハンガーを変形させ、左右の横バー３ｂの連結部３ｃの位置がアタッチメントの連結部３ａの水平線より高い位置になるとハンガーに閉じる力が働き、閉じているハンガーの横バーの連結部３ｃの位置がアタッチメントの連結部３ａの水平線より低い位置にするとハンガーに開く力が働く構造の開閉式ハンガーであり、片側のハンガーアームと握り部５を握ることでハンガーが外側へ所定以上回動することを防止する機構をアタッチメントとハンガーアームの連結部間に備え、
ハンガーアームを握る力を伝えやすくするために横バー下に握り部５を設け、これを折り畳んだハンガーの左右の横バー間に収納する空間の確保およびハンガーアームを握った手を横バー間で強く挟まないための空間の確保に横バーの連結部側の形状は一定の長さＬ３の幅を有する横バーの間の部分を有するＬ字型の横バーの下に、横バーの偏りを防ぎつつ空間を確保するためのストッパー３ｄを設け、ハンガーアームを閉じた場合、左右の横バー間に一定の空間Ｌ４を確保し、さらに、横バーにはハンガーを親指で開くための凹部３ｅを設けると共に多種の使用幅の洗濯物に対応するスライド部材４をハンガーアームの上部に取り付け、一時的に洗濯物を仮掛けする突起部２ａをアタッチメント部に設け、
長時間にわたりハンガーの閉じた状態を継続してハンガーアームの変形が常態化することを防ぐためにアタッチメントとアームの左右の連結部間の距離Ｌ１はアタッチメントの連結部の垂線とこの線と直交する横バーの連結部間の直線距離Ｌ２の略２倍とし、ハンガーアームは空間Ｌ４の幅を確保したハンガーの閉じた状態において変形による残留歪が残らない範囲でＬ１からＬ４を引いて２で割った距離であるＬ５をＬ２より小さくしたことを特徴とする開閉式ハンガー。
【請求項２】
アタッチメントのフック部をグリップ式のフックにしたことを特徴とする請求項１記載の開閉式洗濯ハンガー。
【請求項３】
衣服に付けた織りネームに掛かることを防止する機構３ｆを連結部３の周りに備えた請求項１記載の開閉式ハンガー。
【発明の詳細な説明】
【技術分野】  物干し具【０００１】  本発明は、開閉式洗濯用ハンガーに関するものである。
【背景技術】
【０００２】  従来には、実用新案昭６２−１８５５７７、特許２７１４７７６、実用新案３０３１８２８、特許５２４８６８８、実用新案３０２２３９７が開示されている。
【発明が解決しようとする課題】
【０００３】  ハンガーが物干し竿に掛かっている状態で洗濯物をハンガーに掛ける時の使用方法は、下から洗濯物の衣服を襟首側から入れ衣服と一緒にハンガーを開くことになる。伸縮性の低い生地の衣服の場合には衣服が伸びず手の動きを制限してハンガーが開き難いことがある。
また、多くの洗濯物はハンガーを多数並べて干す。洗濯物を取り込む時に、既存の操作式開閉式ハンガーの多くはハンガー操作部と洗濯物とは別の所のハンガー中央にあり、外れる洗濯物の取り込みと操作部の操作とは同時作業になるので両手での作業になり片手で作業できないという課題がある。また、手を洗濯物の中央まで入れてハンガーの操作を行って取り込まなければならないので面倒であるという課題がある。
両手で折り畳む方式の開閉式ハンガーの多くは洗濯物と一緒にハンガーを閉じる作業を行うので両手が必要であり片手で作業できないという課題がある。
【０００４】  プラスチックで成形したか開閉式ハンガーの場合、閉じた状態と開いた状態のハンガーアームの形状が大きく変化する場合、閉じた状態を長時間続けるとハンガーアームの形状は閉じた状態の形状に矯正され（一種のアニーリング効果）、ハンガーを開いても図８のように横バーが逆Ｖ型に曲がった状態のハンガーの開きになり、横バー同士の突っ張り力が無くなるので重い洗濯物を掛けると落下するという課題がある。昭６２−１８５５７７の第５図が変形する例である。またこのハンガーは、ハンガーアームを片手で握ってもハンガーが図６のように歪みハンガーが閉じない場合が多々あるのでハンガーを取り外さないと洗濯物の取り込みができない。
【０００５】  特許２７１４７７６はハンガーがロックされているため、ハンガーアームを片手で握って動かすことはできない。洗濯物の真ん中まで手を入れなければならず、片手でロックを外すと洗濯物が落下するため、他方の手で洗濯物を押さえておく必要があり両手が必要である。また、ハンガーを閉じて物干し竿に掛けた状態で長期間放置した場合、ハンガーアームが変形した状態が通常状態になり、洗濯物を掛けてハンガーを広げても上手く開かないという課題がある。
【０００６】  実案３０３１８２８は出願書の実施例（００１４）の説明で、両手で動かす構造としており、多くの洗濯物が並んでいる場合は物干し竿から取り外して取り込み作業をしなければならない。また、このハンガーは出願書面（０００９）課題を解決するための手段において「該側翼が収合と展開の二つの安定状態に位置することができるものとされ」とあるのでフック連結部とアームの連結部間の距離はフック連結部とハンガーアームの垂線とこの線と直交する横バーの連結部の距離の２倍以上であると示唆している。
これは多くの他の同じ寸法のハンガーに比べて構造上首間寸法が大きくなるので襟首の小さな洗濯物には不便であると共に洗濯物を掛けるハンガーアーム部が短くなる課題がある。洗濯物の脱着を考慮するとアームの連結部間の距離は１５ｃｍ以下が望ましい。
またこの構造のハンガーは、仮にハンガーアームの片側を握れたとしてもハンガーが図７のように歪み閉じない場合が多々ある。
さらに、横バーの隙間が小さい構造のハンガーの片側のアームを握り閉じると、洗濯物が無い時にはハンガーを握った手の指をハンガーが閉じる反動で強く挟む可能性があり怪我をする恐れがあり危険なので安全を確保する必要があるという課題がある。他にハンガーを洗濯竿に掛けたまま洗濯物を下から挿入すると生地が伸びずに両手の動きが制限され、ハンガーを両手でも広げられない場合がある。
【０００７】  特許５２４８６８８は、ハンガーアームに横バーが無いのでハンガー形状が矯正されることはないが、レバーは洗濯物の真ん中にあるため手を中まで入れて作業する必要がある。さらに取り込みの時には、レバー操作をする手は洗濯物に触れていないため、片手でレバー部を操作すると洗濯物が落下するので他方の手で洗濯物を取るのが遅れると洗濯物が落ちてしまい洗濯し直しが必要となる。だから両手で使用する必要であるという課題がある。
【０００８】  実用新案３０２２３９７はハンガーの使用幅を多様化するが、ハンガーは開閉する構造でないため小さな襟首の洗濯物の脱着は面倒という課題がある。
【０００９】  本発明は、襟首の小さな洗濯物を掛け易く、物干し竿の外側からハンガーアームの片側を握ることで安全にかつハンガーが閉じることで洗濯物の取り込みを容易にするためのものであり、同時に従来の開閉式ハンガーおける上述の課題を解決しようとしてなされたものである。
【課題を解決するための手段】
【００１０】  （請求項１）ではプラスチック製のハンガーのアタッチメント２と左右のハンガーアーム３とを回転可能に連結すると共に左右のハンガーアームの横バー３ｂを略中央で回転可能に連結し、衣服が掛かって開いているハンガーの片側のハンガーアーム３と握り部５を洗濯物と一緒に握りハンガーを変形させ、左右の横バー３ｂの連結部３ｃの位置がアタッチメントの連結部３ａの水平線より高い位置になるとハンガーに閉じる力が働き、閉じているハンガーの横バーの連結部３ｃの位置がアタッチメントの連結部３ａの水平線より低い位置にするとハンガーに開く力が働く構造の開閉式ハンガーであり、片側のハンガーアームと握り部５を握ることでハンガーが外側へ所定以上回動することを防止する機構をアタッチメントとハンガーアームの連結部間に備え、
ハンガーアームを握る力を伝えやすくするために横バー下に握り部５を設け、これを折り畳んだハンガーの左右の横バー間に収納する空間の確保およびハンガーアームを握った手を横バー間で強く挟まないための空間の確保に横バーの連結部側の形状は一定の長さＬ３の幅を有する横バーの間の部分を有するＬ字型の横バーの下に、横バーの偏りを防ぎつつ空間を確保するためのストッパー３ｄを設け、ハンガーアームを閉じた場合、左右の横バー間に一定の空間Ｌ４を確保し、さらに、横バーにはハンガーを親指で開くための凹部３ｅを設けると共に多種の使用幅の洗濯物に対応するスライド部材４をハンガーアームの上部に取り付け、一時的に洗濯物を仮掛けする突起部２ａをアタッチメント部に設け、
長時間にわたりハンガーの閉じた状態を継続してハンガーアームの変形が常態化することを防ぐためにアタッチメントとアームの左右の連結部間の距離Ｌ１はアタッチメントの連結部の垂線とこの線と直交する横バーの連結部間の直線距離Ｌ２の略２倍とし、ハンガーアームは空間Ｌ４の幅を確保したハンガーの閉じた状態において変形による残留歪が残らない範囲でＬ１からＬ４を引いて２で割った距離であるＬ５をＬ２より小さくしたことを特徴とする開閉式ハンガーを提供することで解決する。
【００１１】  図９のグリップ式フックを取り付けることで強風などに対応する（請求項２）。
【００１２】  ハンガーが閉じる時に織ネームに３ｃが引っかかることを軽減する（請求項３）。
【作用】
【００１３】  当発明品は、物干し作業ではハンガーを握って折り畳んだ状態で洗濯物を挿入し、３ｅに親指を入れてハンガーの３ｅを広げると３ｃが３ａの水平線まで下がると洗濯物内で自動的にハンガーが広がり簡易に物干し作業ができる。取り外し作業では、ハンガーに掛けた洗濯物と一緒にハンガーアーム３と握り部５を握り３ｃが３ａの水平線まで上がるとハンガーが自動的に閉じるのでハンガーからＴシャツや下着を片手で取り外せるので物干し作業が軽減される（請求項１）。
【発明の効果】
【００１４】  普通のハンガーではハンガーの片側からハンガーを挿入して他方を洗濯物の襟首を伸ばして掛けるので面倒であったが、開閉式ハンガーにすることにより洗濯物をハンガーに容易に掛けられる。また、洗濯物を閉じたハンガーに挿入した状態でハンガーを開き難い場合でも３ｅに親指を入れて開くことができるので多種の洗濯物に対応できる。さらに、襟首が高く生地に伸縮性が無い洗濯物を干す場合にはハンガーが開きにくくなるが、洗濯物を一時掛ける２ａがあるのでこれを使用して一時的に掛けてハンガーを両手で広げることができるので、多様な洗濯物に対応できる。
洗濯物の取り込み時には、洗濯物と一緒にハンガーアームと握る部を握るだけでハンガーが閉じるので、物干し竿のところまで手を入れなくても済み、取り込み作業が素早くなり作業時間が短縮できる。
【発明を実施するための形態】
【実施例】
【００１５】  （請求項１）では図１のような構成のハンガーとする。片側のハンガーアーム３と横バー握り部５とを握ると間隔が狭くなるようにアームが変形し、通常はアタッチメント部がハンガーアームを握った側に倒れ図６や図７のようになる。当発明品は図４のようにハンガーアームはアタッチメントに対して上側に上がらない構造になっているためアタッチメントは倒れず力の逃げ場がなくなり、左右のハンガーアームの連結部が上側に上がる。そして、連結部３ｃが３ａの水平線を越えるとハンガーアームが元の形に戻ろうとする力でハンガーは閉じる。また閉じたハンガーにおいて連結部３ｃが３ａより低い位置になるとハンガーには元に戻ろうとする力が働き自然と開く。
他の多くのハンガーは両手で閉じる作業をするが、当発明品は片手で閉じる構造として取り込み作業の軽減と便利さを得る。【００１６】  プラスチック製のこの構造のハンガーはハンガーアームが一定限度を超えて変形した形状を長期間続けると、変形した形状がこのハンガーアームの固定形状になり、ハンガーを開いても図８のようになってしまい洗濯物の荷重に耐えられなくなる。変形を起こさないためにはハンガーが閉じた状態を長期間続けても変形負荷が掛からないようにする必要がある。負荷が全くかからない状況は図３のＬ１がＬ２の２倍以上にすることであり、さらにハンガーアームに負荷が無くなるまでハンガーを閉じることである。当発明品のＬ１はＬ２の略２倍として襟首周り寸法を構造上の最小にすると共にハンガーが閉じた状態では変形負荷による残留歪が残らない程度にハンガーを閉じる位置にストッパーを設けて負荷を掛け、左右のストッパーが噛み合うことで横バーの偏りを防ぐ構造とする。樹脂の種類やハンガーアームの形状や大きさによって異なるが実施例のＰＰ製のハンガーの場合にはＬ５がＬ２の９０％前後までは変形の固定化は起こらない。しかし、Ｌ５とＬ２は限りなく近い寸法が望ましい。【００１７】  人の手の握力は一定の距離を確保しないと力が入らない。そこで、横バー下に斜めに握り部５を設けて力を伝え易くする。【００１８】  Ｔシャツなどの洗濯物を干す場合、図２の状態で洗濯物を襟首から挿入してハンガーを広げる必要があるが、両手は洗濯物を握っているので洗濯物の生地が伸びないとハンガーを広げられなくなる場合が多々起こる。そこで、横バーに３ｅのような親指が入る凹部を設けることで４本の指で洗濯物を握ったまま親指を挿入して回転するように外向きの力を加えるとハンガーを広げることができる構造にする。【００１９】  手の指の安全や握り部の収納空間を確保するために、横バーの連結部側の形状は一定の長さＬ３を有するＬ字型にすると共に横バー下に横バーの偏りを防ぐ効果を兼ねるストッパー３ｄを設けてＬ４の空間を確保する。【００２０】衣服の幅の多様性に対応するためにハンガーアームにはスライド部材４を設ける。【００２１】また、衣服によってはハンガーを開き難いものに関しては、一時的に洗濯物を掛けておいてハンガーを開くことができるように突起部２ａをアタッチメント部に設ける。
【図面の簡単な説明】
【００２２】
【図１】  ハンガー幅調整スライド付きの開閉ハンガーの開いた図
【図２】  ハンガーが閉じた図
【図３】  ハンガー断面図
【図４】  ハンガー歪み防止機構図
【図５】  偏り防止ストッパーの拡大図
【図６】  握ることで歪むハンガーの図−１
【図７】  握ることで歪むハンガーの図−２
【図８】  ハンガーアームが変形したハンガーの図
【図９】  フックをグリップ式に変えた図
【符号の説明】
【００２３】１    フック                          ２    アタッチメント
２ａ  洗濯物一時掛け部                ３    ハンガーアーム
３ａ  アタッチメントとハンガーアームの連結部
３ｂ  横バー                          ３ｃ  横バー連結部
３ｄ  ストッパー                      ３ｅ  ハンガーを開く親指掛け部
３ｆ  織ネーム引っ掛け軽減機構        ４    ハンガー幅調整スライド
５    横バー握り部
【図１】
0006627029.tif 000002
【図２】
0006627029.tif 000003
【図３】
0006627029.tif 000004
【図４】
0006627029.tif 000005
【図５】
0006627029.tif 000006
【図６】
0006627029.tif 000007
【図７】
0006627029.tif 000008
【図８】
0006627029.tif 000009
【図９】
0006627029.tif 000010